(57)【要約】【課題】動作の評価を支援する。【解決手段】被計測対象者の動作を計測する動作計測システムであって、前記被計測対象者の動作を１以上のセンサで測定することにより、前記動作における所定の属性を定量化した計測値を含む計測データを生成する計測データ生成手段と、前記被計測対象者の前記動作を撮像することにより動画データを生成する動画データ生成手段と、前記計測データ生成手段により生成された計測データに基づいて、前記被計測対象者の将来の傾向を予測する予測ステータスを算出して、該予測ステータスを前記計測データに付加した計測結果データを生成する計測結果データ生成手段と、ユーザの操作に応じて、前記計測結果データ生成手段により生成された計測結果データに含まれる計測値及び予測ステータスと、前記動画データ生成手段により生成された動画データに基づく動画とを表示する表示手段と、を有する。【選択図】図２
2018033621.tif 000002
【特許請求の範囲】
【請求項１】
被計測対象者の動作を計測する動作計測システムであって、
前記被計測対象者の動作を１以上のセンサで測定することにより、前記動作における所定の属性を定量化した計測値を含む計測データを生成する計測データ生成手段と、
前記被計測対象者の前記動作を撮像することにより動画データを生成する動画データ生成手段と、
前記計測データ生成手段により生成された計測データに基づいて、前記被計測対象者の将来の傾向を予測する予測ステータスを算出して、該予測ステータスを前記計測データに付加した計測結果データを生成する計測結果データ生成手段と、
ユーザの操作に応じて、前記計測結果データ生成手段により生成された計測結果データに含まれる計測値及び予測ステータスと、前記動画データ生成手段により生成された動画データに基づく動画とを表示する表示手段と、
を有する動作計測システム。
【請求項２】
前記動画データ生成手段により生成された動画データと、前記計測結果データ生成手段により生成された計測結果データとを関連付けて所定の記憶手段に保存する保存手段を有し、
前記表示手段は、
前記ユーザの操作に応じて、前記保存手段により保存された計測結果データに含まれる計測値及び予測ステータスと、前記計測結果データと関連付けて前記保存手段により保存された動画データに基づく動画とを表示する、請求項１に記載の動作計測システム。
【請求項３】
前記計測結果データには、前記被計測対象者の動作を計測した計測日時が含まれ、
前記表示手段は、
前記ユーザの操作に応じて、前記保存手段により保存された第１の計測結果データに含まれる計測値及び予測ステータスと、前記第１の計測結果データと関連付けて前記保存手段により保存された第１の動画データに基づく動画とを表示すると共に
第１の計測結果データに含まれる計測日時よりも所定の日数前の計測日時が含まれる第２の計測結果データに含まれる計測値及び予測ステータスと、前記第２の計測結果データと関連付けて前記保存手段により保存された第２の動画データに基づく動画とを表示する、請求項２に記載の動作計測システム。
【請求項４】
前記ユーザが被計測対象者か否かを判定する判定手段を有し、
前記表示手段は、
前記判定手段により前記ユーザが被計測対象者であると判定された場合、前記計測結果データ生成手段により生成された計測結果データに含まれる前記予測ステータスは表示せずに、該計測結果データに含まれる計測値と、前記動画データ生成手段により生成された動画データに基づく動画とを表示する、請求項１乃至３の何れか一項に記載の動作計測システム。
【請求項５】
前記判定手段により前記ユーザが被計測対象者であると判定された場合、前記計測結果データ生成手段により生成された計測結果データから前記予測ステータスを削除する予測結果データ編集手段を有し、
前記表示手段は、
前記判定手段により前記ユーザが被計測対象者であると判定された場合、前記予測結果データ編集手段により前記予測ステータスが削除された計測結果データに含まれる計測値と、前記動画データ生成手段により生成された動画データに基づく動画とを表示する、請求項４の何れか一項に記載の動作計測システム。
【請求項６】
前記判定手段は、
前記ユーザのユーザＩＤ、前記ユーザが操作する端末装置の装置ＩＤ、又は前記端末装置の製造固有番号から前記ユーザが被計測対象者か否かを判定する、請求項４又は５に記載の動作計測システム。
【請求項７】
前記計測結果データ生成手段は、
前記計測データ生成手段により生成された計測データと、所定の疾病に罹患する可能性又は所定の運動機能が低下する可能性を予測するための予測モデルとに基づいて、前記予測ステータスを算出して、該予測ステータスを前記計測データに付加した計測結果データを生成する、請求項１乃至６の何れか一項に記載の動作計測システム。
【請求項８】
前記表示手段により表示された前記計測値が少なくとも印刷された計測結果レポートを印刷する印刷手段を有する、請求項１乃至７の何れか一項に記載の動作計測システム。
【請求項９】
前記１以上のセンサには、モーションセンサ、握力計、体重計、血圧計、脈拍計が含まれ、
前記計測データには、少なくともモーションセンサにより前記被計測対象者の動作を測定することにより、該動作における所定の属性を定量化した計測値が含まれる、請求項１乃至８の何れか一項に記載の動作計測システム。
【請求項１０】
被計測対象者の動作を計測する動作計測装置であって、
前記被計測対象者の動作を１以上のセンサで測定することにより、前記動作における所定の属性を定量化した計測値を含む計測データを生成する計測データ生成手段と、
前記被計測対象者の前記動作を撮像することにより動画データを生成する動画データ生成手段と、
前記計測データ生成手段により生成された計測データに基づいて、前記被計測対象者の将来の傾向を予測する予測ステータスを算出して、該予測ステータスを前記計測データに付加した計測結果データを生成する計測結果データ生成手段と、
ユーザの操作に応じて、前記計測結果データ生成手段により生成された計測結果データに含まれる計測値及び予測ステータスと、前記動画データ生成手段により生成された動画データに基づく動画とを表示する表示手段と、
を有する動作計測装置。
【請求項１１】
被計測対象者の動作を計測する動作計測システムに用いられる動作計測方法であって、
前記被計測対象者の動作を１以上のセンサで測定することにより、前記動作における所定の属性を定量化した計測値を含む計測データを生成する計測データ生成手順と、
前記被計測対象者の前記動作を撮像することにより動画データを生成する動画データ生成手順と、
前記計測データ生成手順により生成された計測データに基づいて、前記被計測対象者の将来の傾向を予測する予測ステータスを算出して、該予測ステータスを前記計測データに付加した計測結果データを生成する計測結果データ生成手順と、
ユーザの操作に応じて、前記計測結果データ生成手順により生成された計測結果データに含まれる計測値及び予測ステータスと、前記動画データ生成手順により生成された動画データに基づく動画とを表示する表示手順と、
を有する動作計測方法。
【発明の詳細な説明】
【技術分野】
【０００１】
本発明は、動作計測システム、動作計測装置、及び動作計測方法に関する。
【背景技術】
【０００２】
例えば介護現場等では、高齢者等の健康増進や機能回復のため、リハビリテーションや機能訓練等の運動療法が行われている。このような運動療法では、例えば理学療法士や介護士等が、高齢者等の歩行動作等を評価した上で、歩行動作等の改善指導等を行うことにより、健康増進や機能回復が図られる。
【０００３】
また、例えばモーションセンサや各種バイタルセンサ（脈拍計や血圧計等）等を用いて、人の各種動作を計測する技術が知られている。
【０００４】
更に、リハビリテーション業務において、複数の患者のリハビリテーションに伴う各種情報や運動機能データ等、複数の患者の運動機能についての履歴全般を個人単位で管理する技術が知られている（例えば特許文献１参照）。
【発明の概要】
【発明が解決しようとする課題】
【０００５】
ここで、運動療法における動作者（例えば、高齢者等）の各種動作を撮影した動画と共に、これらの動作をモーションセンサや各種バイタルセンサ等を用いて計測したデータを理学療法士や介護士等に提示することで、動作の容易な評価が期待できる。
【０００６】
本発明の一実施形態は、上記の点に鑑みてなされたもので、動作の評価を支援することを目的とする。
【課題を解決するための手段】
【０００７】
上記目的を達成するため、本発明の一実施形態は、被計測対象者の動作を計測する動作計測システムであって、前記被計測対象者の動作を１以上のセンサで測定することにより、前記動作における所定の属性を定量化した計測値を含む計測データを生成する計測データ生成手段と、前記被計測対象者の前記動作を撮像することにより動画データを生成する動画データ生成手段と、前記計測データ生成手段により生成された計測データに基づいて、前記被計測対象者の将来の傾向を予測する予測ステータスを算出して、該予測ステータスを前記計測データに付加した計測結果データを生成する計測結果データ生成手段と、ユーザの操作に応じて、前記計測結果データ生成手段により生成された計測結果データに含まれる計測値及び予測ステータスと、前記動画データ生成手段により生成された動画データに基づく動画とを表示する表示手段と、を有する。
【発明の効果】
【０００８】
本発明の一実施形態によれば、動作の評価を支援することができる。
【図面の簡単な説明】
【０００９】
【図１】第一の実施形態に係る動作計測システムの一例のシステム構成を示す図である。
【図２】動作計測システムの概略的な処理の一例を説明する図である。
【図３】第一の実施形態に係る計測装置、結果提供装置、及び出力装置の一例のハードウェア構成を示す図である。
【図４】第一の実施形態に係る動作計測システムの一例の機能構成を示す図である。
【図５】計測結果データ用ＤＢに格納されている計測結果データの一例について説明する図である。
【図６】計測開始から計測データ及び動画データの送信までの一例の処理の流れの説明する図である。
【図７】計測画面の一例を示す図である。
【図８】計測画面の他の例を示す図である。
【図９】被計測者の所定の動作を検知して計測を開始する場合の一例を説明する図である。
【図１０】計測データ及び動画データの受信から計測結果データ及び動画データの格納までの一例の処理の流れを説明する図である。
【図１１】計測結果の取得操作の受付から計測結果画面の表示までの一例の処理の流れを説明する図である。
【図１２】計測結果画面の一例を示す図である。
【図１３】計測結果レポートの一例を示す図である。
【図１４】計測結果画面の他の例を示す図である。
【図１５】第二の実施形態に係る動作計測システムの一例のシステム構成を示す図である。
【図１６】第三の実施形態に係る動作計測システムの一例のシステム構成を示す図である。
【発明を実施するための形態】
【００１０】
以下、本発明の実施の形態について、図面を参照しながら詳細に説明する。
【００１１】
［第一の実施形態］
＜システム構成＞
まず、本実施形態に係る動作計測システム１のシステム構成について、図１を参照しながら説明する。図１は、本実施形態に係る動作計測システム１の一例のシステム構成を示す図である。
【００１２】
図１に示すように、本実施形態に係る動作計測システム１は、計測装置１０と、結果提供装置２０と、出力装置３０と、測定機器４０と、撮像装置５０とを有する。また、計測装置１０と、結果提供装置２０と、出力装置３０とは、例えばインターネット等の広域的なネットワークＮ１を介して通信可能に接続されている。
【００１３】
計測装置１０は、例えばＰＣ（パーソナルコンピュータ）、スマートフォン、タブレット端末等の情報処理装置である。計測装置１０には、計測プログラム１００がインストールされている。
【００１４】
計測装置１０は、計測プログラム１００により、測定機器４０から測定データを受信して、受信した測定データから計測データを生成する。また、計測装置１０は、計測プログラム１００により、撮像装置５０から撮像データを受信して、受信した撮像データから動画データを生成する。更に、計測装置１０は、計測プログラム１００により、計測データ及び動画データを結果提供装置２０に送信する。
【００１５】
ここで、測定データとは、計測対象となる人（被計測者）の動作等を測定機器４０が測定することで生成されるデータである。一方、計測データとは、被計測者の動作等における所定の属性（例えば、歩行動作中における歩幅、身体の左右のバランス、腰の角度等）を定量化した値（計測値）を含むデータである。
【００１６】
また、撮像データとは、撮像装置５０が被計測者の動作等を撮像することで生成されるデータである。一方、動画データとは、撮像データを所定のコーデックで符号化等した上で、所定のフォーマットで生成されたデータである。
【００１７】
結果提供装置２０は、例えばＰＣやワークステーション等の情報処理装置である。結果提供装置２０には、結果提供プログラム２００がインストールされている。また、結果提供装置２０は、計測結果データ用データベース４００（以降、「計測結果データ用ＤＢ４００」と表す。）と、動画データ用データベース５００（以降、「動画データ用ＤＢ５００」と表す。）とを有している。
【００１８】
結果提供装置２０は、結果提供プログラム２００により、計測装置１０から計測データ及び動画データを受信する。また、結果提供装置２０は、結果提供プログラム２００により、受信した計測データから計測結果データを生成する。そして、結果提供装置２０は、結果提供プログラム２００により、動画データを動画データ用ＤＢ５００に格納すると共に、当該動画データと関連付けて計測結果データを計測結果データ用ＤＢ４００に格納する。
【００１９】
更に、結果提供装置２０は、結果提供プログラム２００により、出力装置３０からの要求に応じて、計測結果データと、当該計測結果データに関連付けられている動画データとを返信する。
【００２０】
ここで、計測結果データとは、計測データに対して、当該計測データから予測された予測ステータスを付加したデータである。また、予測ステータスとは、所定の疾病や所定の運動機能についての被計測者の将来の傾向（例えば、所定の疾病に罹患する可能性、所定の運動機能が低下する可能性等）を予測したデータである。
【００２１】
出力装置３０は、例えばＰＣ、スマートフォン、タブレット端末等の情報処理装置である。出力装置３０には、出力プログラム３００がインストールされている。
【００２２】
出力装置３０は、出力プログラム３００により、計測結果の取得を結果提供装置２０に要求する。そして、出力装置３０は、出力プログラム３００により、結果提供装置２０から返信された計測結果データ及び動画データに基づいて、被計測者の動作等の計測結果を表示する。
【００２３】
これにより、例えば理学療法士や介護士等（以降、「評価者」という。）は、計測結果に基づいて被計測者の動作等を評価すると共に、当該評価に基づく改善指導等を行うことができるようになる。なお、評価とは、例えば、被計測者の動作（例えば、歩行動作等）や身体状態（例えば、脈拍数や心拍数等）等に基づいて、当該動作の改善要否、姿勢等の改善要否、疾病予防のための生活習慣の改善要否等を判断することである。
【００２４】
また、被計測者は、自身の動作や身体状態等の計測結果を確認することで、評価者の改善指導等に基づく改善を行うことができるようになる。
【００２５】
なお、以降では、評価者が用いる出力装置を「出力装置３０Ａ」、被計測者が用いる出力装置３０を「出力装置３０Ｂ」と表す。一方で、出力装置３０の利用者（評価者又は被計測者）を区別しないときは、単に「出力装置３０」と表す。
【００２６】
測定機器４０は、被計測者の動作や身体状態等を測定する各種センサ等である。測定機器４０には、例えば、モーションセンサ４０ａ、握力計４０ｂ、体重計４０ｃ、血圧計４０ｄ、脈拍計４０ｅ等が挙げられる。ただし、測定機器４０は、これらに限られず、例えば、加速度センサやジャイロセンサ、種々のバイタルセンサ等、被計測者の動作や身体状態等を測定することができる各種センサが含まれる。
【００２７】
評価者は、これらの測定機器４０のうち、動作等の計測に必要な任意の測定機器４０を選択することで、被計測者の動作や身体状態等を計測することができる。
【００２８】
撮像装置５０は、動画を撮像することができるビデオカメラ等である。ただし、撮像装置５０は、静止画を撮像することができるデジタルカメラ等であっても良い。なお、例えば、上記のモーションセンサ４０ａを用いて動作を撮像することが可能である場合（すなわち、撮像装置を含むモーションキャプチャシステムである場合等）、本実施形態に係る動作計測システム１は、撮像装置５０を有していなくても良い。
【００２９】
＜概略的な処理の説明＞
次に、本実施形態に係る動作計測システム１の概略的な処理について、図２を参照しながら説明する。図２は、動作計測システム１の概略的な処理の一例を説明する図である。
【００３０】
Ｓ１）評価者等の指示に応じて、例えばモーションセンサ４０ａや脈拍計４０ｅ等を装着した被計測者６００は、所定の動作（例えば、歩行動作等）を行う。このとき、これらの測定機器４０は、被計測者６００の動作や身体状態等を測定する。また、撮像装置５０は、被計測者６００の動作を撮像する。
【００３１】
なお、被計測者６００の動作は、歩行動作等の単一の動作に限られず、一連の動作であっても良い。すなわち、被計測者６００は、「所定の距離を歩行動作した後、椅子に着座する」動作を行っても良いし、「所定の距離を回転しながら歩行動作した後、握力計４０ｂで握力を測定する」動作を行っても良い。なお、被計測者６００がどのような動作を行うかは、例えば評価者等により決定される。
【００３２】
Ｓ２）次に、測定機器４０は、被計測者６００の動作や身体状態等を測定することで生成した測定データを計測装置１０に送信する。また、撮像装置５０は、被計測者６００の動作を撮像することで生成した撮像データを計測装置１０に送信する。
【００３３】
Ｓ３）計測装置１０は、測定データから計測データを生成する。すなわち、計測装置１０は、例えば、歩幅、身体の左右バランス、腰の曲がり具合、股関節の可動域等を定量化した計測データを測定データから生成する。
【００３４】
また、計測装置１０は、撮像データから動画データを生成する。すなわち、計測装置１０は、撮像データを所定のコーデックで符号化等した後、所定のフォーマットの動画データを生成する。
【００３５】
なお、撮像データをどのようなコーデックで符号化等するか、また、どのようなフォーマットの動画データを生成するかは、例えば、計測装置１０のユーザ等により予め設定される。
【００３６】
Ｓ４）次に、計測装置１０は、生成した計測データ及び動画データを結果提供装置２０に送信する。
【００３７】
Ｓ５）結果提供装置２０は、計測データから計測結果データを生成する。なお、計測結果データは、上述したように、計測データから予測された予測ステータスを、当該予測データに付加したデータである。
【００３８】
Ｓ６）次に、結果提供装置２０は、動画データを動画データ用ＤＢ５００に格納する。また、結果提供装置２０は、当該動画データと関連付けて計測結果データを計測結果データ用ＤＢ４００に格納する。
【００３９】
これにより、被計測者６００の動作や身体状態等の計測結果を示す計測結果データが、当該被計測者６００の動作を撮像した動画を示す動画データと関連付けて結果提供装置２０に保存される。
【００４０】
Ｓ７）結果提供装置２０は、出力装置３０からの要求に応じて、計測結果データと、当該計測結果データと関連付けられている動画データとを出力装置３０に送信する。
【００４１】
Ｓ８）出力装置３０は、計測結果データ及び動画データに基づいて、計測結果画面Ｇ１００を表示する。
【００４２】
計測結果画面Ｇ１００には、被計測者６００の歩幅、身体の左右バランス、腰の曲がり具合、股関節の可動域等を定量化した値を表示する計測値欄Ｇ１１０と、被計測者６００の動作を撮像した動画を表示する動画欄Ｇ１２０とが含まれている。また、計測結果画面Ｇ１００には、被計測者６００の将来の傾向を示す予測ステータスＧ１３０が含まれる。
【００４３】
これにより、評価者は、計測結果画面Ｇ１００を参考にして、被計測者６００の動作や生活習慣等の改善を指導することができる。また、同様に、被計測者６００は、計測結果画面Ｇ１００を参考にして、自身の動作や生活習慣等の改善を図ることができる。ただし、出力装置３０の利用者が被計測者６００である場合には、予測ステータスＧ１３０は表示されない。
【００４４】
＜ハードウェア構成＞
次に、本実施形態に係る計測装置１０、結果提供装置２０、及び出力装置３０のハードウェア構成について、図３を参照しながら説明する。図３は、本実施形態に係る計測装置１０、結果提供装置２０、及び出力装置３０の一例のハードウェア構成を示す図である。なお、計測装置１０、結果提供装置２０、及び出力装置３０は、略同様のハードウェア構成を有しているため、以降では、主に、計測装置１０のハードウェア構成について説明する。
【００４５】
図３に示すように、本実施形態に係る計測装置１０は、入力装置１１と、表示装置１２と、外部Ｉ／Ｆ１３と、通信Ｉ／Ｆ１４とを有する。また、本実施形態に係る計測装置１０は、ＲＯＭ１５（Read Only Memory）と、ＲＡＭ（Random Access Memory）１６と、ＣＰＵ（Central Processing Unit）１７と、ＨＤＤ（Hard Disk Drive）１８とを有する。これらの各ハードウェアは、それぞれがバスＢで接続されている。
【００４６】
入力装置１１は、キーボードやマウス、タッチパネル等を含み、ユーザが各種操作を入力するのに用いられる。表示装置１２は、ディスプレイ等を含み、計測装置１０による処理結果を表示する。なお、結果提供装置２０は、入力装置１１及び表示装置１２の少なくとも一方を必要なときにバスＢに接続して利用する形態であっても良い。
【００４７】
外部Ｉ／Ｆ１３は、外部装置とのインタフェースである。外部装置には、記録媒体１９等がある。これにより、計測装置１０は、外部Ｉ／Ｆ１３を介して、記録媒体１９等の読み取りや書き込みを行うことができる。記録媒体１９には、例えば、フレキシブルディスク、ＣＤ、ＤＶＤ、ＳＤメモリカード、ＵＳＢメモリ等がある。
【００４８】
通信Ｉ／Ｆ１４は、計測装置１０をネットワークＮ１に接続するためのインタフェースである。これにより、計測装置１０は、通信Ｉ／Ｆ１４を介して、他の装置（結果提供装置２０等）と通信を行うことができる。
【００４９】
ＨＤＤ１８は、プログラムやデータを格納している不揮発性の記憶装置である。ＨＤＤ１８に格納されるプログラムやデータには、計測装置１０全体を制御する基本ソフトウェアであるＯＳ（Operating System）、ＯＳ上において各種機能を提供するアプリケーションプログラム、計測プログラム１００等がある。なお、結果提供装置２０のＨＤＤ１８には、結果提供プログラム２００が格納される。同様に、出力装置３０のＨＤＤ１８には、出力プログラム３００が格納される。
【００５０】
また、ＨＤＤ１８は、格納しているプログラムやデータを所定のファイルシステム及び／又はＤＢ（データベース）により管理している。なお、計測装置１０、結果提供装置２０、及び出力装置３０は、ＨＤＤ１８に代えて、記憶媒体としてフラッシュメモリを用いるドライブ装置（例えばソリッドステートドライブ：ＳＳＤ）を有していても良い。
【００５１】
ＲＯＭ１５は、電源を切ってもプログラムやデータを保持することができる不揮発性の半導体メモリである。ＲＯＭ１５には、計測装置１０の起動時に実行されるＢＩＯＳ（Basic Input/Output System）、ＯＳ設定、及びネットワーク設定等のプログラムやデータが格納されている。ＲＡＭ１６は、プログラムやデータを一時保持する揮発性の半導体メモリである。
【００５２】
ＣＰＵ１７は、ＲＯＭ１５やＨＤＤ１８等の記憶装置からプログラムやデータをＲＡＭ１６上に読み出し、処理を実行することで、計測装置１０全体の制御や機能を実現する演算装置である。
【００５３】
本実施形態に係る計測装置１０、結果提供装置２０、及び出力装置３０は、図３に示すハードウェア構成を有することにより、後述するような各種処理を実現できる。
【００５４】
＜機能構成＞
次に、本実施形態に係る動作計測システム１の機能構成について、図４を参照しながら説明する。図４は、本実施形態に係る動作計測システム１の一例の機能構成を示す図である。
【００５５】
≪計測装置１０≫
図４に示すように、本実施形態に係る計測装置１０は、入力受付部１０１と、表示制御部１０２と、通信部１０３と、計測制御部１０４と、計測データ生成部１０５と、動画データ生成部１０６とを有する。これら各部は、計測装置１０にインストールされた計測プログラム１００が、ＣＰＵ１７に実行させる処理により実現される。
【００５６】
入力受付部１０１は、ユーザによる各種操作の入力を受け付ける。すなわち、入力受付部１０１は、例えば、ユーザによる計測開始操作の入力を受け付ける。
【００５７】
表示制御部１０２は、各種画面を表示する。すなわち、表示制御部１０２は、例えば、計測の開始及び終了操作を行うための計測画面を表示する。
【００５８】
通信部１０３は、結果提供装置２０、測定機器４０、及び撮像装置５０との間で、各種データの通信を行う。すなわち、通信部１０３は、例えば、測定機器４０から測定データを受信する。また、通信部１０３は、例えば、撮像装置５０から撮像データを受信する。更に、通信部１０３は、例えば、計測データ生成部１０５により生成された計測データと、動画データ生成部１０６により生成された動画データとを結果提供装置２０に送信する。
【００５９】
計測制御部１０４は、ユーザの操作に応じて、測定機器４０及び撮像装置５０を制御して、計測の開始及び終了を行う。すなわち、計測制御部１０４は、ユーザによる計測開始操作に応じて、測定機器４０の測定開始と、撮像装置５０の撮像開始とを制御する。また、計測制御部１０４は、ユーザによる計測終了操作に応じて、測定機器４０の測定終了と、撮像装置５０の撮像終了とを制御する。
【００６０】
計測データ生成部１０５は、通信部１０３により受信された測定データから計測データを生成する。すなわち、計測データ生成部１０５は、測定データから、被計測者の動作等における所定の属性（例えば、歩行動作中における歩幅、身体の左右のバランス、腰の角度等）を定量化して、これら定量化した値（計測値）を含む計測データを生成する。
【００６１】
動画データ生成部１０６は、通信部１０３により受信された撮像データから動画データを生成する。すなわち、動画データ生成部１０６は、撮像データを所定のコーデックで符号化等した後、所定のフォーマットの動画データを生成する。
【００６２】
なお、本実施形態では、計測装置１０が計測データ生成部１０５を有するものとして説明するが、これに限られず、例えば、結果提供装置２０が計測データ生成部１０５を有していても良い。この場合、計測装置１０が結果提供装置２０に測定データを送信して、結果提供装置２０の計測データ生成部１０５が計測データを生成する。
【００６３】
同様に、本実施形態では、計測装置１０が動画データ生成部１０６を有するものとして説明するが、これに限られず、例えば、結果提供装置２０が動画データ生成部１０６を有していても良い。この場合、計測装置１０が結果提供装置２０に撮像データを送信して、結果提供装置２０の動画データ生成部１０６が動画データを生成する。
【００６４】
≪結果提供装置２０≫
図４に示すように、本実施形態に係る結果提供装置２０は、通信部２０１と、計測結果データ管理部２０２と、動画データ管理部２０３と、予測処理部２０４と、計測結果処理部２０５とを有する。これら各部は、結果提供装置２０にインストールされた結果提供プログラム２００が、ＣＰＵ１７に実行させる処理により実現される。
【００６５】
また、本実施形態に係る結果提供装置２０は、計測結果データ用ＤＢ４００と、動画データ用ＤＢ５００とを有する。これら各ＤＢは、例えばＨＤＤ１８を用いて実現可能である。なお、これら各ＤＢのうちの少なくとも一のＤＢが、結果提供装置２０とネットワークＮ１を介して接続される記憶装置等を用いて実現されていても良い。
【００６６】
通信部２０１は、計測装置１０及び出力装置３０との間で、各種データの通信を行う、すなわち、通信部２０１は、例えば、計測データ及び動画データを計測装置１０から受信する。また、通信部２０１は、例えば、出力装置３０からの要求（計測結果の取得要求）を受信すると共に、当該要求に応じて、計測結果データ管理部２０２により取得された計測結果データと、動画データ管理部２０３により取得された動画データとを返信する。
【００６７】
計測結果データ管理部２０２は、計測結果データ用ＤＢ４００を管理する。すなわち、計測結果データ管理部２０２は、例えば、計測結果の取得要求に応じて、計測結果データ用ＤＢ４００に格納されている計測結果データを取得する。このとき、計測結果データ管理部２０２は、後述する検索キーを用いて、計測結果データ用ＤＢ４００から計測結果データを取得する。
【００６８】
また、計測結果データ管理部２０２は、計測結果データを計測結果データ用ＤＢ４００に格納する。このとき、計測結果データ管理部２０２は、当該計測結果データに対応する動画データと関連付けて計測結果データ用ＤＢ４００に格納する。
【００６９】
動画データ管理部２０３は、動画データ用ＤＢ５００を管理する。すなわち、動画データ管理部２０３は、動画データ用ＤＢ５００に格納されている動画データを取得する。また、動画データ管理部２０３は、動画データを動画データ用ＤＢ５００に格納する。
【００７０】
予測処理部２０４は、通信部２０１により受信された計測データから予測ステータスを予測する。予測ステータスとは、上述したように、予め設定された所定の疾病や所定の運動機能についての被計測者の将来の傾向を予測したデータである。
【００７１】
ここで、予測処理部２０４は、例えば、所定の疾病や所定の運動機能毎に予め作成された予測モデルを用いて、計測データから予測ステータスを予測（算出）する。
【００７２】
なお、予測モデルは、予測したい傾向（例えば、所定の疾病に罹患する可能性、所定の運動機能が低下する可能性等）に応じて、当該傾向を予測するための専門的な知見に基づいて予め作成される。
【００７３】
計測結果処理部２０５は、計測結果データを生成する処理と、計測結果データを出力装置３０に返信するための処理とを行う。ここで、計測結果処理部２０５は、計測結果データ生成部２１１と、要求元判定部２１２と、計測結果データ編集部２１３とを有する。
【００７４】
計測結果データ生成部２１１は、通信部２０１により受信された計測データから計測結果データを生成する。ここで、計測結果データ生成部２１１は、通信部２０１により受信された計測データに対して、予測処理部２０４により予測された予測ステータスを付加することにより、計測結果データを生成する。
【００７５】
要求元判定部２１２は、通信部２０１により受信された計測結果の取得要求の要求元が「出力装置３０Ａ」又は「出力装置３０Ｂ」のいずれであるかを判定する。すなわち、要求元判定部２１２は、計測結果の取得要求の要求元の出力装置３０の利用者が「評価者」又は「被計測者」のいずれであるかを判定する。
【００７６】
計測結果データ編集部２１３は、要求元判定部２１２により要求元の出力装置３０の利用者が「被計測者」であると判定された場合、当該要求に応じて計測結果データ管理部２０２により取得された計測結果データに含まれる予測ステータスを削除する。
【００７７】
このように、本実施形態に係る結果提供装置２０は、計測結果の取得要求の要求元が「出力装置３０Ｂ」（被計測者が利用する出力装置３０）である場合には、計測結果データから予測ステータスを削除する。これは、例えば、所定の疾病に罹患する可能性や所定の運動機能が低下する可能性等を被計測者本人に知らせないためである。
【００７８】
計測結果データ用ＤＢ４００は、計測結果データを格納している。なお、計測結果データ用ＤＢ４００は、上述したように、計測結果データと対応する動画データと関連付けて、当該計測結果データが格納されている。動画データ用ＤＢ５００は、動画データを格納している。
【００７９】
ここで、計測結果データ用ＤＢ４００に格納されている計測結果データについて、図５を参照しながら説明する。図５は、計測結果データ用ＤＢ４００に格納されている計測結果データの一例について説明する図である。
【００８０】
図４に示すように、計測結果データは、データの項目として、「計測日時」と、「計測タイプ」と、「被計測者名」と、「予測ステータス」と、「計測値」とを有する。
【００８１】
「計測日時」は、被計測者の動作や身体状態等を計測した日時である。「計測タイプ」は、被計測者が行った動作の種類（例えば、歩行動作、片足上げ動作、椅子への着席・離席動作、所定の一連の動作等）である。「被計測者名」は、被計測者の氏名等である。
【００８２】
「計測値」は、被計測者の動作や身体状態等における所定の属性を定量化した値（計測値）等である。計測値は、上述したように、例えば、モーションセンサ４０ａによる測定値から定量化される歩行動作中における歩幅、身体の左右のバランス、及び腰の角度等がある。また、計測値には、これら以外にも、例えば、握力計４０ｂや体重計４０ｃ、血圧計４０ｄ、脈拍計４０ｅ等による測定値から定量化される握力や体重、血圧、脈拍等ある。
【００８３】
「予測ステータス」は、予測処理部２０４により予測された予測ステータスである。「予測ステータス」には、例えば、所定の疾病に罹患する可能性や所定の運動機能が低下する可能性等が高いことを示す「ｒｅｄ」、中程度であることを示す「ｙｅｌｌｏｗ」、低いことを示す「ｇｒｅｅｎ」等が設定される。なお、「予測ステータス」は、例えば、具体的なパーセンテージ（例えば、「６０％」等）が設定されても良い。
【００８４】
図４に示す計測結果データの各データ項目のうち、「予測ステータス」以外のデータ項目は、計測データにも含まれるデータ項目である。すなわち、上述したように、計測結果データは、計測データに対して、「予測ステータス」を付加したデータである。
【００８５】
また、図４に示す計測結果データの各データ項目のうち、「計測日時」、「計測タイプ」、「被計測者名」、及び「予測ステータス」は、メタデータ部である。メタデータ部は、例えば、計測結果データ管理部２０２が計測結果データ用ＤＢ４００に格納されている計測結果データを検索するのに用いられる。
【００８６】
≪出力装置３０≫
図４に示すように、本実施形態に係る出力装置３０は、入力受付部３０１と、表示制御部３０２と、通信部３０３と、計測結果要求部３０４とを有する。これら各部は、出力装置３０にインストールされた出力プログラム３００が、ＣＰＵ１７に実行させる処理により実現される。
【００８７】
入力受付部３０１は、ユーザによる各種操作の入力を受け付ける。すなわち、入力受付部３０１は、例えば、ユーザによる計測結果の取得操作の入力を受け付ける。
【００８８】
表示制御部３０２は、各種画面を表示する。すなわち、表示制御部３０２は、被計測者の計測結果を表示するための計測結果画面を表示する。
【００８９】
通信部３０３は、結果提供装置２０との間で、各種データの通信を行う。すなわち、通信部３０３は、例えば、計測結果要求部３０４により生成された計測結果の取得要求を、結果提供装置２０に送信する。また、通信部３０３は、計測結果データ及び動画データを結果提供装置２０から受信する。
【００９０】
計測結果要求部３０４は、ユーザによる計測結果の取得操作に応じて、計測結果の取得要求を生成する。
【００９１】
なお、計測結果の取得要求には、出力装置３０の利用者が「評価者」又は「被計測者」のいずれであるかを識別するための要求元ＩＤと、計測結果データを計測結果データ用ＤＢ４００から取得するための情報（検索キー）とが含まれる。
【００９２】
要求元ＩＤには、例えば、出力装置３０の固有ＩＤ（装置ＩＤや製造固有番号等）を用いても良いし、出力装置３０にログインしているユーザのユーザＩＤを用いても良い。また、検索キーには、上述したように、計測結果データのメタデータ部に含まれるデータ項目を用いることができる。すなわち、検索キーには、例えば、「計測日時」や「計測タイプ」、「被計測者名」、「予測ステータス」等を用いることができる。
【００９３】
＜詳細な処理の説明＞
次に、本実施形態に係る動作計測システム１の詳細な処理について説明する。
【００９４】
≪計測開始から計測データ及び動画データの送信までの処理≫
まず、被計測者の動作や身体状態等の計測を開始して、計測装置１０で生成した計測データ及び動画データを結果提供装置２０に送信するまでの処理について、図６を参照しながら説明する。図６は、計測開始から計測データ及び動画データの送信までの一例の処理の流れの説明する図である。
【００９５】
まず、計測装置１０の入力受付部１０１は、ユーザによる計測開始操作の入力を受け付ける（ステップＳ６０１）。ここで、ユーザは、表示制御部１０２により表示される、例えば図７に示す計測画面Ｇ２００において、計測開始ボタンＧ２１０を押下することにより、計測開始操作を行うことができる。なお、ユーザは、評価者でも良いし、被計測者でも良いし、これら評価者及び被計測者と異なる第三者でも良い。
【００９６】
次に、計測装置１０の計測制御部１０４は、入力受付部１０１により計測開始操作の入力を受け付けると、測定機器４０及び撮像装置５０を制御して、計測の開始を行う（ステップＳ６０２）。すなわち、計測制御部１０４は、測定機器４０の測定開始と、撮像装置５０の撮像開始とを制御する。なお、計測制御部１０４は、例えば、入力受付部１０１により計測開始操作の入力を受け付けると、カウントダウンを開始して、当該カウントダウン後に、測定機器４０の測定開始と、撮像装置５０の撮像開始とを制御しても良い。
【００９７】
これにより、測定機器４０は、被計測者の動作や身体状態等の測定を開始して、測定データを生成する。また、撮像装置５０は、被計測者の動作の撮像を開始して、撮像データを生成する。
【００９８】
次に、計測装置１０の通信部１０３は、測定機器４０から測定データを受信すると共に、撮像装置５０から撮像データを受信する（ステップＳ６０３）。
【００９９】
ここで、被計測者の動作や身体状態等を計測している間、計測装置１０の表示制御部１０２は、図７に示す計測画面Ｇ２００の撮像画像欄Ｇ２３０に、撮像データに基づく画像（撮像画像）を表示する。これにより、計測装置１０のユーザは、表示装置１２上で被計測者６００の動作を確認することができる。
【０１００】
また、被計測者の動作や身体状態等を計測している間、計測装置１０の表示制御部１０２は、図７に示す計測画面Ｇ２００に、被計測者６００の動作における所定の属性を定量化した値（計測値）や身体状態等を測定した値（計測値）等を表示しても良い。すなわち、表示制御部１０２は、例えば、被計測者６００の身体の左右バランスを表示する左右バランス欄Ｇ２４１、被計測者６００の歩幅を表示する歩幅欄Ｇ２４２、及び被計測者６００の腰の角度や股関節の可動域等を表示する角度欄Ｇ２４３を表示しても良い。
【０１０１】
上記の左右バランス欄Ｇ２４１に表示される左右バランス、歩幅欄Ｇ２４２に表示される歩幅、及び角度欄Ｇ２４３に表示される角度等の各計測値は、測定データに基づいて、計測データ生成部１０５により算出される。
【０１０２】
なお、表示制御部１０２は、例えば、被計測者６００が握力計４０ｂを用いて握力を測定した場合や体重計４０ｃを用いて体重を測定した場合等には、それぞれ握力や体重等を計測画面Ｇ２００に表示しても良い。
【０１０３】
ここで、被計測者の動作や身体状態等の計測を終了する場合、ユーザは、計測終了操作を入力する。ユーザは、表示制御部１０２により表示される、例えば図７に示す計測画面Ｇ２００において、計測終了ボタンＧ２２０を押下することにより、計測終了操作を行うことができる。
【０１０４】
すると、計測装置１０の入力受付部１０１は、ユーザによる計測終了操作の入力を受け付ける（ステップＳ６０４）。
【０１０５】
次に、計測装置１０の計測制御部１０４は、入力受付部１０１により計測終了操作の入力を受け付けると、測定機器４０及び撮像装置５０を制御して、計測の終了を行う（ステップＳ６０５）。すなわち、計測制御部１０４は、測定機器４０の測定終了と、撮像装置５０の撮像終了とを制御する。なお、計測制御部１０４は、例えば、被計測者の所定の動き（計測を終了するための動き）を検知することで、測定機器４０の測定終了と、撮像装置５０の撮像終了とを制御する。
【０１０６】
これにより、測定機器４０は、被計測者の動作や身体状態等の測定を終了する。また、撮像装置５０は、被計測者の動作の撮像を終了する。
【０１０７】
なお、本実施形態に係る動作計測システム１では、ユーザが計測装置１０を操作することにより、測定機器４０の測定開始及び測定終了と、撮像装置５０の撮像開始及び撮像終了とを制御したが、これに限られない。すなわち、ユーザは、例えば、測定機器４０を操作することにより測定開始及び測定終了を行っても良い。また、同様に、ユーザは、例えば、撮像装置５０を操作することにより撮像開始及び撮像終了を行っても良い。
【０１０８】
次に、計測装置１０の計測データ生成部１０５は、測定データから計測データを生成する。また、計測装置１０の動画データ生成部１０６は、撮像データから動画データを生成する（ステップＳ６０６）。
【０１０９】
すなわち、計測データ生成部１０５は、計測開始から計測終了までの間に通信部１０３により受信された測定データから計測データを作成する。ここで、計測データ生成部１０５により生成される計測データには、例えば、被計測者の歩幅、身体の左右バランス、腰の角度、股関節の可動域、握力、体重、脈拍数等の各種計測値の他に、計測日時、計測タイプ、被計測者名等が含まれる。これらの計測値のうち、上記の計測画面Ｇ２００に表示される計測値（例えば、身体の左右バランス、歩幅、腰の角度や股関節の可動域等）は、通信部１０３により測定データが受信される度に、計測データ生成部１０５により作成される。一方で、上記の計測画面Ｇ２００に表示されない計測値（例えば、歩幅のブレや速度等）は、計測終了後に、計測データ生成部１０５により作成される。
【０１１０】
なお、計測タイプや被計測者名等は、例えば計測開始前に、計測装置１０のユーザにより予め設定される。
【０１１１】
同様に、動画データ生成部１０６は、計測開始から計測終了までの間に通信部１０３により受信された撮像データから動画データを作成する。
【０１１２】
次に、計測装置１０の通信部１０３は、計測データ生成部１０５により生成された計測データと、動画データ生成部１０６により生成された動画データとを結果提供装置２０に送信する（ステップＳ６０７）。
【０１１３】
以上のように、本実施形態に係る計測装置１０は、測定機器４０により被計測者の動作や身体状態等を計測すると共に、撮像装置５０により被計測者の動作を撮像する。そして、本実施形態に係る計測装置１０は、例えば、被計測者の歩幅、身体の左右バランス、腰の角度、股関節の可動域、握力、体重、脈拍数等の各種計測値を含む計測データを生成する共に、被計測者の動作を撮像した動画データを生成する。
【０１１４】
また、本実施形態に係る計測装置１０のユーザは、被計測者の動作や身体状態等を計測している間、被計測者の動作や計測値等を計測画面Ｇ２００上で確認することができる。これにより、例えば評価者は、被計測者の計測終了後、すぐに改善指導等を行うこともできる。
【０１１５】
ここで、被計測者の動作や身体状態等を計測する場合に表示される計測画面の他の例について、図８を参照しながら説明する。図８は、計測画面の他の例を示す図である。
【０１１６】
すなわち、計測装置１０の表示制御部１０２は、図７に示す計測画面Ｇ２００に代えて、図８に示す計測画面Ｇ３００を表示しても良い。
【０１１７】
図８に示す計測画面Ｇ３００には、計測開始及び計測終了を行うための計測開始／終了ボタンＧ３１０と、撮像画像を表示する撮像画像欄Ｇ３２０と、被計測者６００が行う動作を選択するための動作選択欄Ｇ３３０とが含まれる。
【０１１８】
計測装置１０のユーザは、計測開始／終了ボタンＧ３１０を押下することで計測を開始することができると共に、再度、計測開始／終了ボタンＧ３１０を押下することで計測を終了することができる。また、計測装置１０のユーザは、動作選択欄Ｇ３３０において、計測データに含まれる「計測タイプ」に設定する動作の種類を選択することができる。
【０１１９】
なお、撮像画像欄Ｇ３２０上には、計測を開始してから経過した時間Ｇ３４１、動作選択欄Ｇ３３０で選択された動作の種類を被計測者６００が行った回数Ｇ３４２等が表示される。
【０１２０】
また、上記の計測画面Ｇ３００では、ユーザが計測開始／終了ボタンＧ３１０を押下することで、計測開始及び計測終了を行うものとしたが、これに限られず、例えば、被計測者６００の所定の動作を検知することで、計測開始を行っても良い。
【０１２１】
すなわち、図９（ａ）に示すように、表示制御部１０２は、椅子に座る動作を促すメッセージが表示された計測画面Ｇ４００を表示する。
【０１２２】
次に、図９（ｂ）に示すように、例えば測定機器４０が、被計測者６００が椅子に座ったことを検知すると、表示制御部１０２は、計測開始までのカウントダウンが表示された計測画面Ｇ４１０を表示する。なお、カウントダウン後に、計測制御部１０４は、測定機器４０及び撮像装置５０を制御して、計測の開始を行う。
【０１２３】
そして、図９（ｃ）に示すように、カウントダウン後に、表示制御部１０２は、被計測者の動作や状態等の計測中であることを示す計測画面Ｇ４２０を表示する。
【０１２４】
なお、計測終了の場合も同様に、被計測者６００の所定の動作を検知することで、計測終了を行っても良い。
【０１２５】
これにより、被計測者６００は、独りでも計測開始及び計測終了を行うことができるようになる。なお、計測開始するための所定の動作には、椅子に座る動作の他に、例えば、椅子から立ち上がる動作、歩行を開始する動作、片手を挙げる動作等、種々の動作を設定することができる。計測終了するための所定の動作についても同様である。
【０１２６】
≪計測データ及び動画データの受信から計測結果データ及び動画データの格納までの処理≫
次に、結果提供装置２０において、計測装置１０から計測データ及び動画データを受信して、計測結果データ及び動画データを格納するまでの処理について、図１０を参照しながら説明する。図１０は、計測データ及び動画データの受信から計測結果データ及び動画データの格納までの一例の処理の流れを説明する図である。
【０１２７】
まず、結果提供装置２０の通信部２０１は、計測装置１０から計測データ及び動画データを受信する（ステップＳ１００１）。
【０１２８】
次に、結果提供装置２０の予測処理部２０４は、通信部２０１により受信された計測データから予測ステータスを予測する（ステップＳ１００２）。すなわち、予測処理部２０４は、例えば、所定の予測モデルを用いて、被計測者の将来の傾向を示す予測ステータスを算出する。
【０１２９】
次に、結果提供装置２０の計測結果データ生成部２１１は、通信部２０１により受信された計測データに対して、予測処理部２０４により予測された予測ステータスを付加して、予測結果データを生成する（ステップＳ１００３）。なお、計測結果データ生成部２１１は、計測データのメタデータ部に予測ステータスを付加することで、計測結果データを生成する。
【０１３０】
次に、結果提供装置２０の動画データ管理部２０３は、通信部２０１により受信された動画データを動画データ用ＤＢ５００に格納する（ステップＳ１００４）。
【０１３１】
次に、結果提供装置２０の計測結果データ管理部２０２は、計測結果データ生成部２１１により生成された計測結果データを、上記のステップＳ１００４で格納された動画データと関連付けて、計測結果データ用ＤＢ４００に格納する（ステップＳ１００５）。
【０１３２】
すなわち、計測結果データ管理部２０２は、例えば、上記のステップＳ１００４で格納された動画データの格納先アドレス等と関連付けて、計測結果データを計測結果データ用ＤＢ４００に格納する。
【０１３３】
以上のように、本実施形態に係る結果提供装置２０は、計測データ及び動画データを受信すると、当該計測データから予測される予測ステータスを算出した上で、計測結果データを生成する。そして、本実施形態に係る結果提供装置２０は、計測結果データを動画データと関連付けて保存する。
【０１３４】
これにより、本実施形態に係る結果提供装置２０は、後述するように、出力装置３０からの要求に応じて、計測結果データと、当該計測結果データと関連付けられている動画データとを返信することができる。
【０１３５】
≪計測結果の取得操作の受付から計測結果画面の表示までの処理≫
次に、出力装置３０における計測結果の取得操作の受付から計測結果画面の表示までの処理について、図１１を参照しながら説明する。図１１は、計測結果の取得操作の受付から計測結果画面の表示までの一例の処理の流れを説明する図である。
【０１３６】
まず、出力装置３０の入力受付部３０１は、ユーザ（評価者又は被計測者）による計測結果の取得操作の入力を受け付ける（ステップＳ１１０１）。ここで、出力装置３０のユーザは、例えば、表示制御部１０２により表示された所定の画面において、検索キーを指定した上で、所定のボタン等を押下することで、計測結果の取得操作を行うことができる。
【０１３７】
ここで、検索キーは、上述したように、例えば、計測日時、計測タイプ、被計測者名、予測ステータス等のうちの少なくとも１つを用いることができる。したがって、ユーザは、例えば、「計測日時＝２０１４年６月２１日」や「被計測者名＝山田太郎＆予測ステータス＝ｙｅｌｌｏｗ」等のように、１以上のデータ項目の値を入力することで、検索キーを指定することができる。
【０１３８】
ただし、出力装置３０のユーザは、例えば、所定の画面に表示された計測結果の一覧の中から、所望の計測結果を選択することで、計測結果の取得操作を行っても良い。この場合、次のステップＳ１１０２で生成される計測結果の取得要求には、例えば、ユーザにより選択された計測結果が示す計測結果データの格納先アドレス等が含まれる。
【０１３９】
次に、出力装置３０の計測結果要求部３０４は、入力受付部３０１により計測結果の取得操作の入力が受け付けられると、計測結果の取得要求を生成する（ステップＳ１１０２）。ここで、計測結果の取得要求には、ユーザにより指定された検索キーと、出力装置３０の要求元ＩＤとが含まれる。
【０１４０】
要求元ＩＤは、上述したように、出力装置３０の利用者が「評価者」又は「被計測者」のいずれであるかを識別するための情報である。要求元ＩＤには、例えば、出力装置３０にログインしているユーザのユーザＩＤ、出力装置３０の装置ＩＤや製造固有番号等を用いることができる。
【０１４１】
次に、出力装置３０の通信部３０３は、計測結果要求部３０４により生成された計測結果の取得要求を結果提供装置２０に送信する（ステップＳ１１０３）。
【０１４２】
結果提供装置２０の通信部２０１は、計測結果の取得要求を受信する（ステップＳ１１０４）。
【０１４３】
次に、結果提供装置２０の計測結果データ管理部２０２は、通信部２０１により受信された計測結果の取得要求に含まれる検索キーを用いて、計測結果データ用ＤＢ４００から計測結果データを取得する（ステップＳ１１０５）。すなわち、計測結果データ管理部２０２は、計測結果データ用ＤＢ４００に格納されている計測結果データのうち、メタデータ部の所定のデータ項目が検索キーと一致する計測結果データを取得する。
【０１４４】
次に、結果提供装置２０の要求元判定部２１２は、通信部２０１により受信された計測結果の取得要求の要求元の出力装置３０の利用者が「評価者」又は「被計測者」のいずれであるかを判定する（ステップＳ１１０６）。すなわち、要求元判定部２１２は、計測結果の取得要求の要求元が「出力装置３０Ａ」又は「出力装置３０Ｂ」のいずれであるかを判定する。
【０１４５】
これは、要求元判定部２１２は、計測結果の取得要求に含まれる要求元ＩＤを用いて、例えば、要求元ＩＤと、この要求元ＩＤが「評価者」又は「被計測者」のいずれであるかを示す情報とを関連付けた所定のテーブルを参照することにより判定することができる。
【０１４６】
ステップＳ１１０６において、要求元判定部２１２により利用者が「被計測者」であると判定された場合、計測結果データ編集部２１３は、上記のステップＳ１１０５で取得された計測結果データから予測ステータスを削除する（ステップＳ１１０７）。
【０１４７】
一方で、ステップＳ１１０６において、要求元判定部２１２により利用者が「評価者」であると判定された場合、結果提供装置２０は、ステップＳ１１０７の処理を実行しない。すなわち、この場合、計測結果データから予測ステータスは削除されない。
【０１４８】
結果提供装置２０の動画データ管理部２０３は、上記のステップＳ１１０５で取得された計測結果データに関連付けられている動画データを動画データ用ＤＢ５００から取得する（ステップＳ１１０８）。
【０１４９】
次に、結果提供装置２０の通信部２０１は、計測結果データ及び動画データを、計測結果の取得要求の要求元の出力装置３０に送信する（ステップＳ１１０９）。ここで、通信部２０１により送信される計測結果データは、上記のステップＳ１１０６における判定結果に応じて、上記のステップＳ１１０５で取得された計測結果データ又は上記のステップＳ１１０７で予測ステータスが削除された計測結果データである。
【０１５０】
出力装置３０の通信部３０３は、結果提供装置２０から計測結果データ及び動画データを受信する（ステップＳ１１１０）。
【０１５１】
次に、出力装置３０の表示制御部３０２は、通信部３０３により受信された計測結果データ及び動画データに基づいて、例えば図１２に示す計測結果画面Ｇ５００を表示する（ステップＳ１１１１）。
【０１５２】
ここで、図１２に示す計測結果画面Ｇ５００は、被計測者６００の計測結果が表示される画面である。図１２に示す計測結果画面Ｇ５００には、動画データに基づく動画が表示される動画欄Ｇ５１０と、計測結果データに含まれる計測値が表示される計測値欄Ｇ５２０と、計測結果データに含まれる計測日時が表示される計測日時欄Ｇ５３０とが含まれる。これにより、出力装置３０のユーザは、被計測者６００の動作を動画にて確認することができると共に、当該動作における計測値を確認することができる。
【０１５３】
また、図１２に示す計測結果画面Ｇ５００には、計測結果データに含まれる予測ステータスに基づく予測結果が表示される予測結果欄Ｇ５４０が含まれる。予測結果欄Ｇ５４０には、例えば、予測ステータスの値「ｇｒｅｅｎ」、「ｙｅｌｌｏｗ」、又は「ｒｅｄ」に応じて、信号機の「緑」、「黄」、又は「赤」が表示される。なお、予測結果欄Ｇ５４０の表示態様は、これに限られず、例えば、円形又は半円形のメータや棒グラフ、折れ線グラフ等の表示態様であっても良い。
【０１５４】
ただし、上記のステップＳ１１０７において、計測結果データから予測ステータスが削除された場合には、予測結果欄Ｇ５４０は表示されない。なお、上記のステップＳ１１０７において、計測結果データから予測ステータスを削除するものとしたが、例えば、予測ステータスを削除せずに、表示制御部３０２が予測結果欄Ｇ５４０を非表示とするように制御しても良い。
【０１５５】
これにより、出力装置３０Ａのユーザ（評価者）は、被計測者６００の将来の予測（例えば、所定の疾病に関する可能性や所定の運動機能が低下する可能性等）を知ることができるため、被計測者６００に対して、適切な改善指導等を行うことができる。
【０１５６】
また、出力装置３０Ｂのユーザ（被計測者６００）は、自身の将来の予測を知ることはできない。これは、例えば、予測結果は、被計測者６００本人に不利益となる可能性があるためである。ただし、例えば、被計測者６００本人の同意がある場合等には、被計測者６００本人に対して、予測結果欄Ｇ５４０を表示しても良い。
【０１５７】
また、図１２に示す計測結果画面Ｇ５００には、動画欄Ｇ５１０に表示される動画の再生又は一時停止を行うための再生／一時停止ボタンＧ５１１と、動画欄Ｇ５１０に表示される動画における任意の時刻を表示するためのスライダーＧ５１２とが表示される。これにより、出力装置３０のユーザは、動画欄Ｇ５１０の動画の再生／一時停止、任意の時刻における被計測者６００の動作の確認等を行うことができる。
【０１５８】
更に、図１２に示す計測結果画面Ｇ５００には、レポート出力ボタンＧ５５０が表示される。出力装置３０のユーザは、レポート出力ボタンＧ５５０を押下することにより、出力装置３０と接続される印刷装置等を用いて、例えば図１３に示す計測結果レポート１０００を印刷することができる。すなわち、レポート出力ボタンＧ５５０が押下されると、出力装置３０は、レポートの印刷要求を印刷装置等に送信する。
【０１５９】
図１３に示す計測結果レポート１０００には、計測日時欄Ｇ５３０と同内容の計測日時１１００と、計測値欄Ｇ５２０と同内容の計測値１２００と、予測結果欄Ｇ５４０と同内容の予測結果１３００とが印刷される。なお、予測結果１３００は、図１２に示す計測結果画面Ｇ５００に予測結果欄Ｇ５４０が表示されない場合には、印刷されない。
【０１６０】
これにより、出力装置３０のユーザは、紙媒体で計測結果を得ることができる。したがって、例えば、被計測者等は、計測結果レポートを自宅に持ち帰ること等ができる。なお、図１３に示す計測結果レポート１０００には、例えば、動画欄Ｇ５１０に表示される動画のうち、特徴的な動作を行った時刻の画像等（例えば、特に改善すべき動作を行っている瞬間の画像等）が印刷されても良い。
【０１６１】
なお、図１３に示す計測結果レポート１０００は、紙媒体に印刷される場合に限られず、例えば、プラスチックフィルム等の種々の印刷媒体に印刷されても良い。また、図１３に示す計測結果レポート１０００は、例えば、ＰＤＦ（Portable Document Format）等の電子データでユーザに配布等しても良い。
【０１６２】
ここで、出力装置３０の表示制御部３０２は、図１２に示す計測結果画面Ｇ５００の代わりに、例えば図１４に示す計測結果画面Ｇ６００を表示しても良い。
【０１６３】
図１４に示す計測結果画面Ｇ６００には、計測日時「２０１６年４月１９日」の動画データに基づく動画が表示される動画欄Ｇ６１０と、計測日時「２０１６年４月１８日」の動画データに基づく動画が表示される動画欄Ｇ６２０とが含まれる。これにより、出力装置３０のユーザは、例えば、同一の被計測者６００について、計測日が異なる計測結果を動画で比較しながら確認することができるようになる。
【０１６４】
また、図１４に示す計測結果画面Ｇ６００には、計測日時「２０１６年４月１９日」の計測結果データに含まれる計測値が表示される計測値欄Ｇ６３０が含まれる。同様に、図１４に示す計測結果画面Ｇ６００には、計測日時「２０１６年４月１８日」の計測結果データに含まれる計測値が表示される計測値欄Ｇ６４０が含まれる。
【０１６５】
更に、図１４に示す計測結果画面Ｇ６００には、計測日時「２０１６年４月１９日」の計測結果データに含まれる予測ステータスに基づく予測結果が表示される予測結果欄Ｇ６５０が含まれる。同様に、図１４に示す計測結果画面Ｇ６００には、計測日時「２０１６年４月１８日」の計測結果データに含まれる予測ステータスに基づく予測結果が表示される予測結果欄Ｇ６６０が含まれる。ただし、上記のステップＳ１１０７において、計測結果データから予測ステータスが削除された場合には、これらの予測結果欄Ｇ６５０及びＧ６６０は表示されない。
【０１６６】
なお、図１４に示す計測結果画面Ｇ６００を表示する場合、図１１のステップＳ１１０５で計測結果データを取得した後、計測結果データ管理部２０２は、当該計測結果データに含まれる計測日時よりも１日前の計測結果データを取得すれば良い。そして、図１１のステップＳ１１０８において、動画データ管理部２０３は、これらの計測結果データにそれぞれ関連付けられている動画データを取得すれば良い。
【０１６７】
以上のように、本実施形態に係る結果提供装置２０は、出力装置３０からの要求に応じて、計測結果データ及び動画データを返信する。これにより、出力装置３０のユーザは、被計測者の計測結果を動画と共に確認することができる。
【０１６８】
したがって、例えば、出力装置３０のユーザが評価者である場合には、被計測者に対して、適切な改善指導を行うことができるようになる。しかも、この場合、出力装置３０には、予測ステータスに基づく予測結果が表示されるため、評価者は、被計測者の将来の傾向を考慮した上で、適切な改善指導を行うことができる。
【０１６９】
また、例えば、出力装置３０のユーザが被計測者である場合には、自身の動作や身体状態等を客観的に確認することができるようになる。このため、被計測者は、評価者による改善指導に従って、動作や生活習慣等の改善を図ることができるようになる。
【０１７０】
［第二の実施形態］
次に、第二の実施形態について説明する。第一の実施形態では、結果提供装置２０が計測装置１０や出力装置３０等のインターネット等のネットワークＮ１を介して接続されている場合について説明した。すなわち、第一の実施形態に係る結果提供装置２０は、クラウドサービスとして、計測結果を提供する。
【０１７１】
第二の実施形態では、動作計測システム１をオンプレミスで実現する場合について説明する。これにより、例えば、評価者等の雇用する企業等は、自身のシステム環境で計測結果データや動画データを管理することができる。なお、第二の実施形態に係る動作計測システム１の各種処理は、第一の実施形態と同様であるため、それらの説明は省略する。
【０１７２】
＜システム構成＞
本実施形態に係る動作計測システム１について、図１５を参照しながら説明する。図１５は、本実施形態に係る動作計測システム１の一例のシステム構成を示す図である。
【０１７３】
図１５に示すように、本実施形態に係る動作計測システム１は、計測装置１０と、結果提供装置２０と、出力装置３０とは、例えば社内ＬＡＮ（Local Area Network）等のネットワークＮ２を介して通信可能に接続されている。このように、本実施形態に係る動作計測システム１は、オンプレミスで実現されている。
【０１７４】
［第三の実施形態］
次に、第三の実施形態について説明する。第一の実施形態及び第二の実施形態では、クラウド及びオンプレミスで動作計測システム１が実現される場合について説明した。
【０１７５】
第三の実施形態では、計測装置１０と、結果提供装置２０と、出力装置３０とが一台の装置で実現される場合について説明する。これにより、例えば、評価者等の雇用する企業等が中小企業等である場合等においても安価にシステムを構築することができる。
【０１７６】
＜システム構成＞
本実施形態に係る動作計測システム１について、図１６を参照しながら説明する。図１６は、本実施形態に係る動作計測システム１の一例のシステム構成を示す図である。
【０１７７】
図１６に示すように、本実施形態に係る動作計測システム１は、計測プログラム１００及び出力プログラム３００が結果提供装置２０にインストールされている。このように、本実施形態に係る動作計測システム１は、計測装置１０及び出力装置３０が有する機能を、結果提供装置２０が有することで、計測装置１０、結果提供装置２０、及び出力装置３０を１台の装置で実現している。
【０１７８】
本発明は、具体的に開示された上記の各実施形態に限定されるものではなく、特許請求の範囲から逸脱することなく、種々の変形や変更が可能である。
【符号の説明】
【０１７９】
１          動作計測システム
１０        計測装置
２０        結果提供装置
３０        出力装置
４０        測定機器
５０        撮像装置
１００      計測プログラム
１０１      入力受付部
１０２      表示制御部
１０３      通信部
１０４      計測制御部
１０５      計測データ生成部
１０６      動画データ生成部
２００      結果提供プログラム
２０１      通信部
２０２      計測結果データ管理部
２０３      動画データ管理部
２０４      予測処理部
２０５      計測結果処理部
２１１      計測結果データ生成部
２１２      要求元判定部
２１３      計測結果データ編集部
３００      出力プログラム
３０１      入力受付部
３０２      表示制御部
３０３      通信部
３０４      計測結果要求部
４００      計測結果データ用ＤＢ
５００      動画データ用ＤＢ
【先行技術文献】
【特許文献】
【０１８０】
【特許文献１】特開２００５−３５２６８６号公報
【図１】
2018033621.tif 000003
【図２】
2018033621.tif 000004
【図３】
2018033621.tif 000005
【図４】
2018033621.tif 000006
【図５】
2018033621.tif 000007
【図６】
2018033621.tif 000008
【図７】
2018033621.tif 000009
【図８】
2018033621.tif 000010
【図９】
2018033621.tif 000011
【図１０】
2018033621.tif 000012
【図１１】
2018033621.tif 000013
【図１２】
2018033621.tif 000014
【図１３】
2018033621.tif 000015
【図１４】
2018033621.tif 000016
【図１５】
2018033621.tif 000017
【図１６】
2018033621.tif 000018